(57)【特許請求の範囲】
【請求項１】
下部体の上部に配置された上部旋回体を前記下部体に対して旋回させる旋回機構と旋回用の電動モータとを有する建設機械において用いられ、前記上部旋回体を前記下部体に対して旋回駆動する、建設機械旋回機構の駆動装置であって、
前記下部体に固定されたリングギアに対して噛み合うピニオンと、
前記上部旋回体に固定された前記電動モータと、
前記電動モータの回転駆動力を出力する出力軸と、
前記出力軸から出力される回転駆動力が入力される入力軸と、
前記ピニオンが固定された出力部と、
前記入力軸及び前記出力部に連結され、前記入力軸に入力された回転駆動力を減速して伝達するとともに前記出力部に対して出力する減速部と、
前記出力軸の軸線方向と前記入力軸の軸線方向とが平行になるように配置された当該出力軸と当該入力軸との間において回転駆動力を伝達可能に設けられていることで、前記出力軸から出力される回転駆動力を前記入力軸に入力するときにおける回転駆動力の回転軸線の位置を変更する入力位置変更機構と、
を備え、
前記上部旋回体には、前記建設機械の運転を行う作業者の運転席が設置された運転室が設けられ、
前記上部旋回体においては、前記運転席が設置される床板と、前記床板の下方に配置されて前記上部旋回体の底部を構成する底板とが設けられ、
前記減速部は、前記床板の下方のスペースであって前記床板と前記底板との間のスペースに配置され、
前記入力位置変更機構は、前記床板の下方のスペースであって前記床板と前記底板との間のスペースに配置され、
前記電動モータが、前記入力位置変更機構に対して、前記減速部が配置される側と反対側で前記上部旋回体の内部にて配置スペースとしての余裕がある領域に配置されていることを特徴とする、建設機械旋回機構の駆動装置。
【請求項２】
下部体の上部に配置された上部旋回体を前記下部体に対して旋回させる旋回機構と旋回用の電動モータとを有する建設機械において用いられ、前記上部旋回体を前記下部体に対して旋回駆動する、建設機械旋回機構の駆動装置であって、
前記下部体に固定されたリングギアに対して噛み合うピニオンと、
前記上部旋回体に固定された前記電動モータと、
前記電動モータの回転駆動力を出力する出力軸と、
前記出力軸から出力される回転駆動力が入力される入力軸と、
前記ピニオンが固定された出力部と、
前記入力軸及び前記出力部に連結され、前記入力軸に入力された回転駆動力を減速して伝達するとともに前記出力部に対して出力する減速部と、
前記出力軸の軸線方向と前記入力軸の軸線方向とが平行になるように配置された当該出力軸と当該入力軸との間において回転駆動力を伝達可能に設けられていることで、前記出力軸から出力される回転駆動力を前記入力軸に入力するときにおける回転駆動力の回転軸線の位置を変更する入力位置変更機構と、
を備え、
前記上部旋回体には、前記建設機械の運転を行う作業者の運転席が設置された運転室が設けられ、
前記上部旋回体においては、前記運転席が設置される床板と、前記床板の下方に配置されて前記上部旋回体の底部を構成する底板とが設けられ、
前記減速部は、前記床板の下方のスペースであって前記床板と前記底板との間のスペースに配置され、
前記入力位置変更機構は、前記床板の下方のスペースであって前記床板と前記底板との間のスペースに配置され、
前記電動モータが、前記入力位置変更機構に対して、前記減速部が配置される側と同じ側で前記上部旋回体における前記床板と前記底板との間のスペースに配置されていることを特徴とする、建設機械旋回機構の駆動装置。
【請求項３】
請求項１又は請求項２に記載の建設機械旋回機構の駆動装置であって、
前記入力位置変更機構は、前記出力軸の回転駆動力を前記入力軸に対して減速して伝達することを特徴とする、建設機械旋回機構の駆動装置。
【請求項４】
請求項３に記載の建設機械旋回機構の駆動装置であって、
前記入力位置変更機構は、前記入力軸に固定された減速部側歯車と、前記出力軸に固定されて前記減速部側歯車に噛み合うとともに当該減速部側歯車よりも直径寸法が小さい電動モータ側歯車と、を有していることを特徴とする、建設機械旋回機構の駆動装置。
【発明の詳細な説明】
【技術分野】
【０００１】
本発明は、下部体の上部に配置された上部旋回体を下部体に対して旋回させる旋回機構と旋回用の電動モータとを有する建設機械において用いられ、上部旋回体を下部体に対して旋回駆動する建設機械旋回機構の駆動装置に関する。
【背景技術】
【０００２】
下部の走行体として構成された下部体の上部に上部旋回体が配置されたショベル機等の建設機械において、上部旋回体を下部体に対して旋回させる旋回機構と旋回用の電動モータとを有する建設機械が知られている（例えば、特許文献１を参照）。特許文献１に開示された建設機械は、上記の旋回機構と、アクチュエータ駆動用のエンジンと、上記の電動モータとして設けられた電動発電機とを備えたハイブリッド建設機械として構成されている。そして、特許文献１の建設機械においては、上記のエンジンにより駆動される油圧ポンプと、油圧ポンプからの吐出油により駆動される油圧アクチュエータとが設けられるとともに、第１電動機及び第２電動機と蓄電装置とが設けられている。第１電動機はエンジンによって駆動され、この第１電動機による発電電力が蓄電装置に充電される。そして、蓄電装置の電力によって第２電動機（旋回用の電動モータ）が駆動され、これにより、上部旋回体が下部体に対して旋回駆動される。また、第２電動機は、旋回体の旋回制動時には、旋回体の慣性エネルギを電気エネルギに変換して回生するように発電作動する電動発電機として設けられている。この電動発電機による発電電力は、蓄電装置に充電される。
【０００３】
特許文献１に開示された建設機械においては、上記の第２電動機として構成された電動モータを有するとともに上部旋回体を下部体に対して旋回駆動する駆動装置として設けられた、建設機械旋回機構の駆動装置が備えられている。また、特許文献２においても、上部旋回体を下部体に対して旋回駆動する装置として設けられた建設機械旋回機構の駆動装置が開示されている。特許文献２に開示された建設機械旋回機構の駆動装置は、旋回用の電動モータと、下部体に固定されたリングギアに噛み合うピニオンと、電動モータからの回転駆動力を減速してピニオンに出力する減速部とを有する装置として構成されている。
【先行技術文献】
【特許文献】
【０００４】
【特許文献１】特開２００２−２７５９４５号公報（第４−５頁、第１図）
【特許文献２】特開２０００−１０４２８７号公報（第３頁、第３図）
【発明の概要】
【発明が解決しようとする課題】
【０００５】
特許文献１及び特許文献２に開示されているように、建設機械の旋回機構においては、上部旋回体を下部体に対して旋回駆動するための回転駆動力を発生させる旋回モータが電動モータとして構成された駆動装置が知られている。しかしながら、一般的な電動モータは高さ方向の寸法が大きいため、建設機械旋回機構の駆動装置において上記の旋回モータとして電動モータが用いられると、装置の大型化を招いてしまい易く、収容スペースが限られた建設機械においてこの駆動装置をコンパクトに収容することが困難となる。即ち、特許文献２の図３に開示されているように、建設機械旋回機構の駆動装置は、ピニオンがリングギアに噛み合うように配置されるため、ピニオンに出力する回転駆動力を減速する減速部に対して直列に連結された電動モータが上部旋回体の内部において大きく突出してしまい易くなる。このため、建設機械においては、電動モータを有する建設機械旋回機構の駆動装置について、油圧機器や制御機器等の各種機器、作業者の運転席等が設置される運転室、などの他の装備との干渉を避けながらコンパクトに収容することが難しいという問題がある。
【０００６】
本発明は、上記実情に鑑みることにより、建設機械で用いられて電動モータを有する建設機械旋回機構の駆動装置に関し、建設機械の内部において他の装備との干渉を避けながらコンパクトに収容することを容易に実現できる、建設機械旋回機構の駆動装置を提供することを目的とする。
【課題を解決するための手段】
【０００７】
上記目的を達成するための本発明に係る建設機械旋回機構の駆動装置は、下部体の上部に配置された上部旋回体を前記下部体に対して旋回させる旋回機構と電動モータとを有する建設機械において用いられ、前記上部旋回体を前記下部体に対して旋回駆動する、建設機械旋回機構の駆動装置に関する。そして、本発明に係る建設機械旋回機構の駆動装置は、前記下部体に固定されたリングギアに対して噛み合うピニオンと、前記上部旋回体に固定された前記電動モータと、前記電動モータの回転駆動力を出力する出力軸と、前記出力軸から出力される回転駆動力が入力される入力軸と、前記ピニオンが固定された出力部と、前記入力軸及び前記出力部に連結され、前記入力軸に入力された回転駆動力を減速して伝達するとともに前記出力部に対して出力する減速部と、前記出力軸の軸線方向と前記入力軸の軸線方向とが平行になるように配置された当該出力軸と当該入力軸との間において回転駆動力を伝達可能に設けられていることで、前記出力軸から出力される回転駆動力を前記入力軸に入力するときにおける回転駆動力の回転軸線の位置を変更する入力位置変更機構と、を備え、前記上部旋回体には、前記建設機械の運転を行う作業者の運転席が設置された運転室が設けられ、前記上部旋回体においては、前記運転席が設置される床板と、前記床板の下方に配置されて前記上部旋回体の底部を構成する底板とが設けられ、前記減速部は、前記床板の下方のスペースであって前記床板と前記底板との間のスペースに配置され、前記入力位置変更機構は、前記床板の下方のスペースであって前記床板と前記底板との間のスペースに配置されることを特徴とする。
【０００８】
この発明によると、建設機械で用いられて電動モータを有する建設機械旋回機構の駆動装置において、電動モータ側の出力軸と減速部側の入力軸との間において回転駆動力を伝達可能な入力位置変更機構が設けられる。そして、入力位置変更機構は、電動モータ側の出力軸の軸線方向と減速部側の入力軸の軸線方向とが平行になるように配置されていることで、上記出力軸から出力される回転駆動力を上記入力軸に入力するときにおける回転駆動力の回転軸線の位置を変更するように構成されている。このため、電動モータは、リングギアに噛み合うピニオンが固定された出力部に連結された減速部に対して、直列に配置されことなく、回転駆動力の回転軸線が平行にずれた位置に配置される。よって、特許文献２に開示された建設機械旋回機構の駆動装置のように減速部に対して直列に配置された電動モータが上部旋回体の内部に大きく突出して他の装備との干渉を招き易くなってしまうことを防止できる。即ち、電動モータを有する建設機械旋回機構の駆動装置について、油圧機器や制御機器等の各種機器、作業者の運転席等が設置される運転室、などの他の装備との干渉を避けながら、建設機械の内部にコンパクトに収容することを容易に実現することができる。
【０００９】
従って、本発明によると、建設機械で用いられて電動モータを有する建設機械旋回機構の駆動装置において、建設機械の内部にて他の装備との干渉を避けながらコンパクトに収容することを容易に実現できる。
【００１０】
本発明に係る建設機械旋回機構の駆動装置は、前記電動モータが、前記入力位置変更機構に対して、前記減速部が配置される側と反対側で前記上部旋回体の内部にて配置スペースとしての余裕がある領域に配置されていることが好ましい。
【００１１】
この発明によると、電動モータが、減速部に対して直列に配置されることなく回転駆動力の回転軸線が平行にずれた位置に配置されるとともに、入力位置変更機構に対して減速部が配置される側と反対側に配置される。このため、減速部に対して上下方向において重なることなくずれた位置に配置される電動モータについて、上部旋回体の内部にて配置スペースとしての余裕がある領域に（例えば、運転席の下部のスペースなどに）容易に配置することができ、他の装備との干渉を避けながらコンパクトに収容することができる。
【００１２】
本発明に係る建設機械旋回機構の駆動装置は、前記電動モータが、前記入力位置変更機構に対して、前記減速部が配置される側と同じ側で前記上部旋回体における前記床板と前記底板との間のスペースに配置されていることも好ましい。
【００１３】
この発明によると、電動モータが、減速部に対して直列に配置されることなく回転駆動力の回転軸線が平行にずれた位置に配置されるとともに、入力位置変更機構に対して減速部が配置される側と同じ側に配置される。このため、入力位置変更機構の下方の領域において、減速部に対してその側方において並んだ状態で平行に電動モータを配置でき、他の装備との干渉を避けながらコンパクトに駆動装置を収容することを更に容易に実現できる。そして、本発明によると、上下方向における減速部の高さ寸法の範囲内で電動モータを配置でき、収容の更なるコンパクト化を図ることができる。または、下部体に固定されたリングギアの内側のスペースを有効的に活用して電動モータを配置でき、収容の更なるコンパクト化を図ることができる。尚、リングギアの内側のスペースを有効活用して電動モータを配置する場合は、減速部よりも高さ方向の寸法が大きい（減速部よりも軸方向長さが長い）電動モータであっても容易に配置することができる。
【００１４】
本発明に係る建設機械旋回機構の駆動装置は、前記入力位置変更機構は、前記出力軸の回転駆動力を前記入力軸に対して減速して伝達することも好ましい。
【００１５】
この発明によると、入力位置変更機構において出力軸の回転駆動力が入力軸に対して減速して伝達されるため、所望される減速比を減速部だけでなく入力位置変更機構に効率よく分担させることができ、減速部での減速比を小さく設定することができる（減速部で減速される速度の量が小さくなるように設定することができる）。これにより、減速部の小型化を図ることができ、駆動装置の更にコンパクトな収容を実現することができる。
【００１６】
本発明に係る建設機械旋回機構の駆動装置は、前記入力位置変更機構は、前記入力軸に固定された減速部側歯車と、前記出力軸に固定されて前記減速部側歯車に噛み合うとともに当該減速部側歯車よりも直径寸法が小さい電動モータ側歯車と、を有していることも好ましい。
【００１７】
この発明によると、出力軸の回転駆動力を入力軸に対して減速する入力位置変更機構が減速部側歯車とこの減速部側歯車よりも小径の電動モータ側歯車とを備えて構成される。このため、出力軸から出力される回転駆動力を入力軸に入力するときにおける回転駆動力の回転軸線の位置を変更する機能を有するとともに減速機能も有する入力位置変更機構を２つの噛み合う歯車を有する機構として簡素な構成で実現することができる。また、２つの噛み合う歯車による簡素な機構として設けられるため、入力位置変更機構における駆動力伝達効率の低下を抑制することもできる。
【発明の効果】
【００１８】
本発明によると、建設機械で用いられて電動モータを有する建設機械旋回機構の駆動装置において、建設機械の内部にて他の装備との干渉を避けながらコンパクトに収容することを容易に実現できる。
【図面の簡単な説明】
【００１９】
【図１】本発明の第１実施形態に係る建設機械旋回機構の駆動装置が用いられる建設機械を模式的に示す側面から見た断面図である。
【図２】図１における建設機械旋回機構の駆動装置及びその近傍を拡大して示す図である。
【図３】比較例に係る建設機械旋回機構の駆動装置が用いられる建設機械を模式的に示す側面から見た断面図である。
【図４】本発明の第２実施形態に係る建設機械旋回機構の駆動装置が用いられる建設機械を模式的に示す側面から見た断面図である。
【図５】図４における建設機械旋回機構の駆動装置及びその近傍を拡大して示す図である。
【発明を実施するための形態】
【００２０】
以下、本発明を実施するための形態について図面を参照しつつ説明する。尚、本発明の実施形態においては、下部体の上部に配置された上部旋回体を下部体に対して旋回させる旋回機構とアクチュエータ駆動用のエンジンと電動発電機として設けられた旋回用の電動モータとを有するハイブリッド建設機械において用いられる建設機械旋回機構の駆動装置を例にとって説明するが、この例に限らず、本発明を広く適用することができる。即ち、本発明は、下部体の上部に配置された上部旋回体を下部体に対して旋回させる旋回機構と旋回用の電動モータとを有する建設機械において用いられ、上部旋回体を下部体に対して旋回駆動する建設機械旋回機構の駆動装置に関して、広く適用することができるものである。
【００２１】
（第１実施形態）
図１は、本発明の第１実施形態に係る建設機械旋回機構の駆動装置１（以下、単に「駆動装置１」ともいう）が適用されるショベル機１００を模式的に示す側面から見た断面図である。図１に示すショベル機１００は、一対の走行クローラ１０１ａ（図１では一方のクローラ１０１ａのみを図示）を有する下部の走行体を構成する下部体１０１の上部に上部旋回体１０２が旋回自在に配置されている。そして、このショベル機１００は、上部旋回体１０２を下部体１０１に対して旋回させる旋回機構１０３と、アクチュエータ駆動用のエンジン（図示せず）と、電動発電機として設けられた旋回用の電動モータ１１とを有するハイブリッド建設機械として構成されている。尚、このショベル機１００は、いわゆるミニショベルとして構成されている。
【００２２】
上部旋回体１０２には、ショベル機１００の運転を行う作業者の運転席１０６ａや後述のアクチュエータを操作するための操作機器などが設置された運転室１０６が設けられている。また、上部旋回体１０２においては、運転席１０６ａが設置される床板１０７と、床板１０７の下方に配置されて上部旋回体１０２の底部を構成するとともに駆動装置１が設置される底板１０８とが設けられている。
【００２３】
図２は、図１において本実施形態の駆動装置１とその近傍とを拡大して示す図である。図１及び図２に示すように、ショベル機１００の旋回機構１０３は、駆動装置１、リングギア１０４、旋回軸受１０５、等を備えて構成されている。旋回軸受１０５は、外輪１０５ａ、内輪１０５ｂ、転動体１０５ｃ等を備えて構成されている。上部旋回体１０２の底板１０８には円形の貫通孔が形成されており、この貫通孔の縁部分において、底板１０８に対して外輪１０５ａが固定されている。また、外輪１０５ａの内側に対して転動体１０５ｃを介して回転自在に配置された内輪１０５ｂは、下部体１０１に対して固定されている。そして、リング状に形成されるとともに内周に歯が形成されたリングギア１０４は、内輪１０５ｂの内周に対して固定されている。このように、リングギア１０４は、内輪１０５ｂを介して、下部体１０１に固定されている。
【００２４】
駆動装置１は、上部旋回体１０２に設置されており、ピニオン１２においてリングギア１０４に対して噛み合うように配置されている。そして、駆動装置１が後述のように作動することで、上部旋回体１０２が下部体１０１に対して旋回駆動されることになる。尚、図１においては、上部旋回体１０２の旋回動作時における回転中心線Ｐを一点鎖線にて、回転中心線Ｐを中心とする上部旋回体１０２の旋回方向を両端矢印Ｑにてそれぞれ示している。また、上部旋回体１０２の旋回制動時には、駆動装置１における電動モータ１１が駆動されることで、上部旋回体１０２の慣性エネルギを電気エネルギに変換して回生する発電が電動発電機としての電動モータ１１において行われることになる。
【００２５】
また、ショベル機１００においては、前述のエンジンによって駆動される油圧ポンプ（図示せず）と、旋回体１０２に設けられた複数のアクチュエータと、上記エンジンによって駆動される発電機（図示せず）と、この発電機による発電電力が充電される蓄電装置（図示せず）とが備えられている。電動発電機として設けられた電動モータ１１は、上記の蓄電装置から供給される電力によって駆動されるとともに、上部旋回体１０２の旋回制動時には発電した電力をこの蓄電装置に充電するように構成されている。また、上記の複数のアクチュエータは、上記の油圧ポンプから供給される圧油によって駆動される。そして、ショベル機１００においては、複数のアクチュエータとして、上記圧油により油圧シリンダによって駆動されるブーム１０９、アーム（図示せず）、アタッチメントとしてのバケット（図示せず）が設けられている。
【００２６】
次に、本実施形態に係る駆動装置１について詳しく説明する。図１及び図２に示すように、駆動装置１は、電動モータ１１、ピニオン１２、出力軸１３、入力軸１４、出力部１５、減速部１６、入力位置変更機構１７、等を備えて構成されている。
【００２７】
電動モータ１１は、前述のように電動発電機として設けられ、上部旋回体１０２に固定されている。尚、減速部１６のハウジングが、上部旋回体１０２の底板１０８に対して又は底板１０８に固定された外輪１０５ａに対して固定され、このハウジングに対して固定された入力位置変更機構１７のケース１８に対して電動モータ１１が固定されている。これにより、電動モータ１１が、減速部１６及び入力位置変更機構１７を介して、上部旋回体１０２に固定されている。
【００２８】
図２において破線で示す出力軸１３は、電動モータ１１の回転駆動力を出力する電動モータ１１の出力軸部として設けられ、先端側が下方に向かって突出するとともに後述する入力位置変更機構１７のケース１８内に向かって突出するように配置されている。図２において破線で示す入力軸１４は、出力軸１３から出力される回転駆動力が入力位置変更機構１７を介して入力される軸部材として設けられている。図２において破線で示す出力部１５は、例えば、軸状の部分として形成されて減速部１６の回転駆動力を出力する部分として設けられている。そして、出力部１５は、先端側が減速部１６の下方に向かって突出するとともにリングギア１０４の内側に突出するように配置されている。また、出力部１５の先端側の外周には、リングギア１０４の内周の歯に噛み合うピニオン１２が、例えばスプライン結合を介して固定されている。
【００２９】
減速部１６は、床板１０７の下方のスペース、即ち、上部旋回体１０２における床板１０７と底板１０８との間のスペースに配置されている。また、減速部１６は、その上端側において入力軸１４に連結されるとともにその下端側において出力部１５に連結され、前述のように、そのハウジングの下端部において底板１０８又は外輪１０５ａに固定されている。そして、減速部１６は、入力軸１４に入力された回転駆動力を減速して伝達するとともに出力部１５に対して出力するように構成されている。この減速部１６は、例えば、平歯車を備えて構成された平歯車減速機、太陽歯車と遊星歯車と遊星枠とを備えて構成された遊星歯車減速機、クランク軸と外歯歯車とキャリアとを備えて構成された偏心型減速機、又は、これらの任意の組み合わせによる減速機等を備えて構成される。
【００３０】
入力位置変更機構１７は、床板１０７の下方のスペース、即ち、上部旋回体１０２における床板１０７と底板１０８との間のスペースに配置され、ケース１８、減速部側歯車１９、電動モータ側歯車２０、等を備えて構成されている。ケース１８は、減速部側歯車１９及び電動モータ側歯車２０が収容される筐体として設けられるとともに、出力軸１３及び入力軸１４のそれぞれの端部が内部に突出するように配置されている。そして、ケース１８の下面側には減速部１６のハウジングにおける上端部が固定され、ケース１８の上面側には電動モータ１１のハウジングにおける下端部が固定されている。これにより、駆動装置１においては、電動モータ１１が、入力位置変更機構１７に対して、減速部１６が配置される側（下側）と反対側（上側）に配置されるように構成されている。また、駆動装置１においては、電動モータ１１は、運転席１０６ａの下部のスペースに配置されている。尚、運転席１０６ａの下部においては、床板１０７に切り欠かれた部分が形成されており、この床板１０７における切り欠かれた部分を介して電動モータ１１が運転席１０６ａの下部のスペースに突出して配置されている。
【００３１】
減速部側歯車１９は、入力軸１４の端部に固定されたスパーギア又はヘリカルギアとして設けられている。電動モータ側歯車２０は、出力軸１３の端部に固定されて減速部側歯車１９に噛み合うとともに減速部側歯車１９よりも直径寸法が小さいスパーギア又はヘリカルギアとして設けられている。上記のように構成された減速部側歯車１９及び電動モータ側歯車２０が設けられていることで、入力位置変更機構１７は、出力軸１３の回転駆動力を入力軸１４に対して減速して伝達するように構成されている。
【００３２】
また、入力位置変更機構１７においては、出力軸１３の軸線方向Ｃ１（図２において破線Ｃ１で示す方向）と入力軸１４の軸線方向Ｃ２（図２において破線Ｃ２で示す方向）とが平行になるように配置された出力軸１３と入力軸１４との間において回転駆動力を伝達可能に設けられている。これにより、入力位置変更機構１７は、出力軸１３から出力される回転駆動力を入力軸１４に入力するときにおける回転駆動力の回転軸線の位置を軸線方向Ｃ１から軸線方向Ｃ２に変更するように構成されている。
【００３３】
次に、上述した駆動装置１の作動について説明する。上部旋回体１０２の旋回駆動時には、駆動装置１は、図示しない蓄電装置から供給される電力によって駆動される電動モータ１１の運転が行われることにより作動する。そして、電動モータ１１の運転が開始されると、出力軸１１とともに入力位置変更機構１７の電動モータ側歯車２０が回転し、この電動モータ側歯車２０に噛み合う減速部側歯車１９が回転する。減速部側歯車１９が回転すると、電動モータ１１から出力されて入力位置変更機構１７を介して回転軸線の位置が軸線方向Ｃ１から軸線方向Ｃ２に変更された回転駆動力が入力軸１４に入力される。入力軸１４に入力された回転駆動力は、減速部１６で減速して伝達されて出力部１５から出力される。これにより、リングギア１０４に噛み合うピニオン１２から大きなトルクが出力され、上部旋回体１０２が下部体１０１に対して旋回駆動されることになる。
【００３４】
一方、上部旋回体１０２の旋回制動時には、上記とは逆方向に回転駆動力が伝達される。即ち、上部旋回体１０２の慣性エネルギによる駆動力がピニオン１２を介して出力部１５に入力され、減速部１６において増速して伝達されて入力軸１４から出力され、減速部側歯車１９及び電動モータ側歯車２０を介して出力軸１３に入力され、制動中の電動モータ１１において発電が行われることになる。発電された電力は、図示しない蓄電装置に充電されることになる。
【００３５】
以上説明したように、駆動装置１によると、電動モータ１１側の出力軸１３と減速部１６側の入力軸１４との間において回転駆動力を伝達可能な入力位置変更機構１７が設けられる。そして、入力位置変更機構１７は、電動モータ１１側の出力軸１３の軸線方向Ｃ１と減速部１６側の入力軸１４の軸線方向Ｃ２とが平行になるように配置されていることで、出力軸１３から出力される回転駆動力を入力軸１４に入力するときにおける回転駆動力の回転軸線の位置を変更するように構成されている。このため、電動モータ１１は、リングギア１０４に噛み合うピニオン１２が固定された出力部１５に連結された減速部１６に対して、直列に配置されことなく、回転駆動力の回転軸線が平行にずれた位置に配置される。よって、特許文献２に開示された建設機械旋回機構の駆動装置のように減速部に対して直列に配置された電動モータが上部旋回体の内部に大きく突出して他の装備との干渉を招き易くなってしまうことを防止できる。
【００３６】
尚、図３は、電動モータ１１が減速部１６に直列に配置された比較例に係る建設機械旋回機構の駆動装置１０が用いられたショベル機１１０を模式的に示す側面から見た断面図である。図３に示す比較例に係る駆動装置１０の場合、減速部１６に対して直列に配置された電動モータ１１が上部旋回体１０２の運転室１０６の内部に大きく突出してしまうことになる。このため、運転室１０６内で作業者が運転操作を行う際の妨げとなり、運転室１０６の機能が損なされることになる。即ち、電動モータ１１の配置が運転室１０６との干渉を生じてしまうことになる。しかしながら、駆動装置１においては、前述のように、電動モータ１１が、減速部１６に対して直列に配置されことなく、回転駆動力の回転軸線が平行にずれた位置に配置される。このため、電動モータ１１を有する駆動装置１について、油圧機器や制御機器等の各種機器、運転室１０６、などの他の装備との干渉を避けながら、ショベル機１００の内部にコンパクトに収容することを容易に実現することができる。
【００３７】
従って、本実施形態によると、建設機械であるショベル機１００で用いられて電動モータ１１を有する建設機械旋回機構の駆動装置１において、ショベル機１００の内部にて他の装備との干渉を避けながらコンパクトに収容することを容易に実現できる。
【００３８】
また、駆動装置１によると、電動モータ１１が、減速部１６に対して直列に配置されることなく回転駆動力の回転軸線が平行にずれた位置に配置されるとともに、入力位置変更機構１７に対して減速部１６が配置される側と反対側に配置される。このため、減速部１６に対して上下方向において重なることなくずれた位置に配置される電動モータ１１について、上部旋回体１０２の内部にて配置スペースとしての余裕がある領域（図１に及び図２に図示するように、運転席１０６ａの下部のスペースなどに）容易に配置することができ、他の装備との干渉を避けながらコンパクトに収容することができる。
【００３９】
また、駆動装置１によると、入力位置変更機構１７において出力軸１３の回転駆動力が入力軸１４に対して減速して伝達されるため、所望される減速比を減速部１６だけでなく入力位置変更機構１７に効率よく分担させることができ、減速部１６での減速比を小さく設定することができる（減速部１６減速される速度の量が小さくなるように設定することができる）。これにより、減速部１６の小型化を図ることができ、駆動装置１の更にコンパクトな収容を実現することができる。
【００４０】
また、駆動装置１によると、出力軸１３の回転駆動力を入力軸１４に対して減速する入力位置変更機構１７が減速部側歯車１９とこの減速部側歯車１９よりも小径の電動モータ側歯車２０とを備えて構成される。このため、出力軸１３から出力される回転駆動力を入力軸１４に入力するときにおける回転駆動力の回転軸線の位置を変更する機能を有するとともに減速機能も有する入力位置変更機構１７を２つの噛み合う歯車を有する機構として簡素な構成で実現することができる。また、２つの噛み合う歯車による簡素な機構として設けられるため、入力位置変更機構１７における駆動力伝達効率の低下を抑制することもできる。
【００４１】
（第２実施形態）
次に、本発明の第２実施形態について説明する。図４は、第２実施形態に係る建設機械旋回機構の駆動装置２（以下、単に「駆動装置２」ともいう）が適用されるショベル機２００を模式的に示す側面から見た断面図である。図４に示すショベル機２００は、第１実施形態のショベル機１００と同様に構成されているが、上部旋回体１０２を下部体１０１に対して旋回駆動する装置として、駆動装置１ではなく駆動装置２が備えられている点が異なっている。そして、駆動装置２は、第１実施形態の駆動装置１と同様に、電動モータ１１、ピニオン１２、出力軸１３、入力軸１４、出力部１５、減速部１６、入力位置変更機構１７、等を備えて構成されているが、電動モータ１１の配置構成において第１実施形態と異なっている。尚、以下の説明においては、第１実施形態と同様の構成については図面において同一の符号を付して説明を省略し、第１実施形態とは構成の異なる電動モータ１１の配置構成について説明する。
【００４２】
図５は、図４において駆動装置２とその近傍とを拡大して示す図である。図４及び図５に示すように、入力位置変更機構１７のケース１８の下面側には、減速部１６のハウジングにおける上端部が固定されるとともに、電動モータ１１のハウジングにおける上端部が固定されている。そして、電動モータ１１は、減速部１６と同様に、床板１０７の下方のスペース、即ち、上部旋回体１０２における床板１０７と底板１０８との間のスペースに配置されている。また、出力軸１３は、電動モータ１１に対してその上端側において連結され、先端側が上方に向かって突出するとともにケース１８内に向かって突出するように配置されている。このように、駆動装置２においては、電動モータ１１が、入力位置変更機構１７に対して、減速部１６が配置される側（下側）と同じ側（下側）に配置されるように構成されている。よって、駆動装置２においては、電動モータ１１、減速部１６及び入力位置変更機構１７の全てが、床板１０７の下方のスペース、即ち、上部旋回体１０２における床板１０７と底板１０８との間のスペースに配置されている。
【００４３】
以上説明した駆動装置２によると、第１実施形態の駆動装置１と同様の効果を奏することができる。即ち、第２実施形態によると、建設機械であるショベル機２００で用いられて電動モータ１１を有する建設機械旋回機構の駆動装置２において、ショベル機１００の内部にて他の装備との干渉を避けながらコンパクトに収容することを容易に実現できる。
【００４４】
そして、駆動装置２によると、電動モータ１１が、減速部１６に対して直列に配置されることなく回転駆動力の回転軸線が平行にずれた位置に配置されるとともに、入力位置変更機構１７に対して減速部１６が配置される側と同じ側に配置される。このため、入力位置変更機構１７の下方の領域において、減速部１６に対してその側方において並んだ状態で平行に電動モータ１１を配置でき、他の装備との干渉を避けながらコンパクトに駆動装置２を収容することを更に容易に実現できる。そして、本実施形態によると、上下方向における減速部１６の高さ寸法の範囲内で電動モータ１１を配置でき、収容の更なるコンパクト化を図ることができる。
【００４５】
以上、本発明の第１及び第２実施形態について説明したが、本発明は上述の実施の形態に限られるものではなく、特許請求の範囲に記載した限りにおいて様々に変更して実施することができる。例えば、次のように変更して実施することができる。
【００４６】
（１）第１及び第２実施形態では、ショベル機として構成されたハイブリッド建設機械において用いられる場合を例にとって説明したが、この通りでなくてもよい。即ち、本発明は、ショベル機以外のハイブリッド建設機械において用いられる建設機械旋回機構の駆動装置に適用されてもよく、また、ハイブリッド建設機械ではない建設機械（ショベル機及びショベル機以外のいずれでもよい）において用いられる建設機械旋回機構の駆動装置に適用されてもよい。よって、商用電源等を用いた電動ショベルやバッテリーショベル、旋回機構を備えたクレーンなどにも本発明を適用することができる。尚、第１及び第２実施形態では、ショベル機としてミニショベルを例にとって説明したが、この通りでなくてもよく、２０ｔクラスなどのショベル機に本発明が適用されてもよい。
【００４７】
（２）第１及び第２実施形態では、入力位置変更機構が、出力軸の回転駆動力を入力軸に対して減速して伝達する形態を例にとって説明したが、この通りでなくもよい。即ち、入力位置変更機構が、出力軸の回転駆動力を入力軸に対して減速せずに伝達する形態であってもよい。また、入力位置変更機構が、出力軸の回転駆動力を入力軸に対して減速して伝達する場合であっても、スパーギア又はヘリカルギア以外の形態の歯車によって回転駆動力を減速して伝達する形態であってもよい。
【００４８】
（３）第２実施形態では、電動モータが入力位置変更機構に対して減速部と同じ側に配置される場合において、上下方向における減速部の高さ寸法の範囲内で電動モータが配置される形態を例にとって説明したが、この通りでなくてもよい。電動モータが入力位置変更機構に対して減速部と同じ側に配置される場合において、下部体に固定されたリングギアの内側のスペースを有効的に活用して電動モータが配置され、収容の更なるコンパクト化が図られる形態であってもよい。尚、リングギアの内側のスペースを有効活用して電動モータが配置される場合は、減速部よりも高さ方向の寸法が大きい（減速部よりも軸方向長さが長い）電動モータであっても容易に配置することができる。
【産業上の利用可能性】
【００４９】
本発明は、下部体の上部に配置された上部旋回体を下部体に対して旋回させる旋回機構と旋回用の電動モータとを有する建設機械において用いられ、上部旋回体を下部体に対して旋回駆動する建設機械旋回機構の駆動装置として、広く適用することができるものである。
【符号の説明】
【００５０】
１                        ショベル機（建設機械）
１１                      電動モータ
１２                      ピニオン
１３                      出力軸
１４                      入力軸
１５                      出力部
１６                      減速部
１７                      入力位置変更機構
１０１                    下部体
１０２                    上部旋回体
１０３                    旋回機構
１０４                    リングギア
【図１】
0005634746.tif 000002
【図２】
0005634746.tif 000003
【図３】
0005634746.tif 000004
【図４】
0005634746.tif 000005
【図５】
0005634746.tif 000006